(57)【要約】【課題】投影スクリーン上での画像の歪みをサブ偏向ヨークを用いて補正する場合にコマ収差の影響で電子ビームのスポット形状が歪んでしまう。【解決手段】投写用陰極線管の構成として、カソード２１から放出された電子ビームの軌道上にビーム集束用のメインレンズ２２を形成する電子銃１９と、この電子銃１９から出射された電子ビームを偏向するメイン偏向磁界を形成するメイン偏向ヨーク１７と、このメイン偏向ヨーク１７の後端部の近傍に配置され、投影スクリーン上での画像の歪みを補正するための補正磁界φＨ１を形成するサブ偏向ヨーク１８と、メインレンズ２２の形成部位よりもカソード２１寄りに配置され、サブ偏向ヨーク１８が形成する補正磁界φＨ１と逆向きのコマ収差補正磁界φＨ２を形成するコマ収差補正用偏向ヨーク２３とを備える。【選択図】　　　　図４
2004079404.tif 000002
【特許請求の範囲】
【請求項１】
カソードから放出された電子ビームの軌道上にビーム集束用のメインレンズを形成する電子銃と、
前記電子銃から出射された電子ビームを偏向するメイン偏向磁界を形成するメイン偏向ヨークと、
前記メイン偏向ヨークの後端部の近傍に配置され、投影スクリーン上での画像の歪みを補正するための補正磁界を形成するサブ偏向ヨークと、
前記メインレンズの形成部位よりも前記カソード寄りに配置され、前記サブ偏向ヨークが形成する前記補正磁界と逆向きのコマ収差補正磁界を形成するコマ収差補正用偏向ヨークと
を備えることを特徴とする投写用陰極線管。
【請求項２】
カソードから放出された電子ビームの軌道上にビーム集束用のメインレンズを形成する電子銃と、
前記電子銃から出射された電子ビームを偏向するメイン偏向磁界を形成するメイン偏向ヨークと、
前記メイン偏向ヨークの後端部の近傍に配置され、投影スクリーン上での画像の歪みを補正するための補正磁界を形成するサブ偏向ヨークと、
前記メインレンズの形成部位よりも前記カソード寄りに配置され、前記サブ偏向ヨークが形成する前記補正磁界と逆向きのコマ収差補正磁界を形成するコマ収差補正用偏向ヨークと
を備える投写用陰極線管を用いた
ことを特徴とする投写型表示装置。
【発明の詳細な説明】
【０００１】
【発明の属する技術分野】
本発明は、画歪み補正のためのサブ偏向ヨークを備える投写用陰極線管とこれを用いた投写型表示装置に関する。
【０００２】
【従来の技術】
一般に、投写用陰極線管を用いた投写型表示装置（例えば、投写型テレビジョン装置）においては、赤色画像用、緑色画像用、青色画像用の３つの投写用陰極線管を投影スクリーンから所定距離だけ離れた位置に並べて配置し、それら３つの投写用陰極線管のフェースプレートに表示された再生画像を投影スクリーンに投影することにより、各々の投写用陰極線管のフェースプレートに表示された再生画像よりも拡大された画像を投影スクリーンに表示する仕組みになっている。
【０００３】
図５は投写型表示装置の構成例を概略的に示すもので、（Ａ）はその側面図、（Ｂ）はその正面図である。投写型表示装置１の内部には、赤色画像用の投写用陰極線管（以下、赤色用陰極線管と略称）２と緑色画像用の投写用陰極線管（以下、緑色用陰極線管と略称）３と青色画像用の投写用陰極線管（以下、青色用陰極線管と略称）４が組み込まれている。赤色用陰極線管２のフェースプレート近傍には、これと中心軸を一致させた状態で赤色画像用の投写レンズ５が対向状態に配置されている。同様に、緑色用陰極線管３のフェースプレート近傍には、これと中心軸を一致させた状態で緑色画像用の投写レンズ６が対向状態に配置され、青色用陰極線管４のフェースプレート近傍には、これと中心軸を一致させた状態で青色画像用の投写レンズ７が対向状態に配置されている。
【０００４】
一方、投写型表示装置１の前面部には投影スクリーン８が垂直に配置されている。また、投写型表示装置１の背面側には投影スクリーン８と対向するように反射板９が斜めに配置されている。投影スクリーン８は、各々の陰極線管２，３，４のフェースプレートに表示された画像を投影するためのものである。この投影スクリーン８は、スクリーン背面側に投写された光学画像をスクリーン前面側に透過させる光透過性を有している。反射板９は、投影スクリーン８と緑色画像用の投写レンズ６との間にその中心軸を一致させた状態で配置されている。
【０００５】
以上の投写型表示装置１では、赤色用陰極線管２、緑色用陰極線管３及び青色用陰極線管４の各フェースプレートに表示された画像（赤色画像、緑色画像及び青色画像）が、それぞれに対応する投写レンズ５，６，７を通して集光及び拡大される。拡大された各色の画像は、反射板９により反射されて投影スクリーン８上に投写される。これにより、投影スクリーン８には、赤色、緑色及び青色の３色の画像を重ね合わせたカラー画像が表示される。
【０００６】
図６は投写型表示装置に用いられる投写用陰極線管の構成例を示す断面図である。図示した投写用陰極線管１０は、上述した赤色用陰極線管２、緑色用陰極線管３及び青色用陰極線管４にそれぞれ適用されるものである。この投写用陰極線管１０の本体部分となるガラス製のバルブは、パネル部１１と、このパネル部１１に接合されるファンネル部１２と、このファンネル部１２から一体に延出したネック部１３とから構成されている。パネル部１１は、画像表示のためのフェースプレート１４を一体に有するものである。パネル部１１のフェースプレート１４内面には蛍光体スクリーン１５が形成されている。ファンネル部１２は漏斗状に形成されている。ファンネル部１２にはアノード電圧印加用のアノードボタン１６が設けられている。また、ファンネル部１２からネック部１３に至るコーン部にはメイン偏向ヨーク１７が搭載され、さらにメイン偏向ヨーク１７の後端部の近傍にサブ偏向ヨーク１８が配置されている。サブ偏向ヨーク１８はネック部１３に搭載されている。ネック部１３は円筒状に形成されている。ネック部１３の内部には電子銃１９が組み込まれている。また、ネック部１３の端部にはステム２０が取り付けられている。
【０００７】
この投写用陰極線管１０においては、電子銃１９から出射された電子ビーム（不図示）がメイン偏向ヨーク１７のメイン偏向磁界により上下左右に偏向される。これにより、蛍光体スクリーン１５上では電子ビームのスポットが水平方向及び垂直方向に走査され、このビームスポットの走査によってフェースプレート１４に単色の画像が表示される。このとき表示される画像の色は、蛍光体スクリーン１５を形成する蛍光体の色に対応したものとなる。
【０００８】
ここで、先述した投写型表示装置１において、赤色用陰極線管２、緑色用陰極線管３及び青色用陰極線管４の各フェースプレートにそれぞれ正方形のマス目によるクロスパターン図形を表示して投影スクリーン２に投写すると、この投影スクリーン８上では各画像色に対応するクロスパターン図形が図７（Ａ）〜（Ｃ）のように表示される。すなわち、赤色画像に対応するクロスパターン図形は図７（Ａ）に示すように水平台形状に歪んだ画像となり、緑色画像に対応するクロスパターン図形は図７（Ｂ）に示すように垂直台形状に歪んだ画像となり、青色画像に対応するクロスパターン図形は図７（Ｃ）に示すように赤色画像の場合の歪み形状を左右反転した水平台形状に歪んだ画像となる。
【０００９】
そこで従来においては、上記図６に示す投写用陰極線管１０が備えるサブ偏向ヨーク１８を用いて、投影スクリーン８上での画像の歪みを補正している。サブ偏向ヨーク１８は、メイン偏向ヨーク１７の後端部の近傍で補正磁界を形成し、この補正磁界によって電子ビームを水平方向及び垂直方向に適宜偏向することにより、投影スクリーン８上での画像の歪みを補正するものである。このサブ偏向ヨーク８を用いて画像の歪みを補正することにより、投影スクリーン８上で各色の画像を正確に位置合わせ（レジストレーション補正）することが可能となる。
【００１０】
【発明が解決しようとする課題】
しかしながら上記従来の技術には次のような問題があった。すなわち、サブ偏向ヨーク１８を用いて投影スクリーン８上での画像の歪みを補正する場合に、サブ偏向ヨーク１８が形成する補正磁界が電子銃１９のメインレンズの前段部分まで及ぶため、電子銃１９内を蛍光体スクリーン１５に向かって進行する電子ビームの軌道がメインレンズの前段部分から曲げられる。そうすると、電子銃１９のメインレンズの中心（主軸）からずれたところを電子ビームが通過するため、蛍光体スクリーン１５に照射された電子ビームのスポットは、メインレンズのコマ収差の影響を受けてハローをひき、全体に歪んだ形状となる。その結果、投写用陰極線管１０のフェースプレート１４に表示される画像の品質、ひいては投影スクリーン８に表示される画像の品質が低下するという問題があった。
【００１１】
この対策としては、サブ偏向ヨーク１８の補正磁界の影響を避けるために、サブ偏向ヨーク１８から十分に離れた位置に電子銃１９を組み込むことも考えられるが、そうした場合はネック部１３の長さを拡大する必要があるため、陰極線管の奥行き寸法が長くなるという別の問題が生じる。
【００１２】
本発明は、上記課題を解決するためになされたもので、その目的とするところは、電子ビームのスポット形状を歪ませることなく、投写スクリーン上での画像の歪みを補正することができる投写用陰極線管とこれを用いた投写型表示装置を提供することにある。
【００１３】
【課題を解決するための手段】
本発明に係る投写用陰極線管は、カソードから放出された電子ビームの軌道上にビーム集束用のメインレンズを形成する電子銃と、この電子銃から出射された電子ビームを偏向するメイン偏向磁界を形成するメイン偏向ヨークと、このメイン偏向ヨークの後端部の近傍に配置され、投影スクリーン上での画像の歪みを補正するための補正磁界を形成するサブ偏向ヨークと、メインレンズの形成部位よりもカソード寄りに配置され、サブ偏向ヨークが形成する補正磁界と逆向きのコマ収差補正磁界を形成するコマ収差補正用偏向ヨークとを備えた構成となっている。また、本発明に係る投写型表示装置は、上記構成の投写用陰極線管を用いたものとなっている。
【００１４】
上記構成の投写用陰極線管とこれを用いた投写型表示装置においては、投影スクリーン上での画像の歪みを補正するためにサブ偏向ヨークで補正磁界を形成した場合に、メインレンズの前段側で上記補正磁界と逆向きのコマ収差補正磁界がコマ収差補正用偏向ヨークによって形成される。これにより、カソードから放出された電子ビームは、コマ収差補正用偏向ヨークのコマ収差補正磁界によって一方向に偏向された後、サブ偏向ヨークの補正磁界によって他方向（上記一方向と反対方向）に偏向される。したがって、コマ収差補正磁界と補正磁界の磁界強度を適宜調整することにより、メインレンズの中心を通るように電子ビームの軌道を修正することが可能となる。
【００１５】
【発明の実施の形態】
以下、本発明の実施の形態について図面を参照しつつ詳細に説明する。なお、本実施形態においては、上記従来の技術で挙げた構成要素と同様の部分に同じ符合を付して説明する。
【００１６】
図１は本発明の実施形態に係る投写用陰極線管の構成を概略的に示す側断面図である。図１において、メイン偏向ヨーク１７は、電子銃１９から出射された電子ビームを偏向するメイン偏向磁界（水平偏向磁界、垂直偏向磁界）を形成するもので、図示はしないが水平偏向コイルと垂直偏向コイルとコアとを備える。水平偏向コイルは、メイン偏向磁界の一つとして、電子ビームが通過する位置に水平偏向磁界を形成し、この水平偏向磁界によって電子ビームを水平方向に偏向することにより、陰極線管の画面（蛍光体スクリーン）上で電子ビームのスポットを水平方向に走査（水平走査）するものである。垂直偏向コイルは、メイン偏向磁界の一つとして、電子ビームが通過する位置に垂直偏向磁界を形成し、この垂直偏向磁界によって電子ビームを垂直方向に偏向することにより、陰極線管の画面上で電子ビームのスポットを垂直方向に走査（垂直走査）するものである。コアは、フェライト等の磁性体からなるもので、水平偏向コイルが発生する水平偏向磁界の強度と垂直偏向コイルが発生する垂直偏向磁界の強度を強める機能を果たす。
【００１７】
電子銃１９は、電子の放出源となるカソード２１と、このカソード２１から放出された電子の量、移動速度などを制御する複数のグリッド電極Ｇ１〜Ｇ５とを備えるものである。電子銃１９の中心軸は陰極線管の中心軸（以下、Ｚ軸）と同軸上に配置されている。カソード２１から放出された電子は、カソード２１と第１グリッド電極Ｇ１との間の電位差で引き出されるとともに、第２グリッド電極Ｇ２による吸引力によって加速される。一方、第３グリッド電極Ｇ３、第４グリッド電極Ｇ４及び第５グリッド電極Ｇ５は、各々の電極間の電位差によって静電レンズを形成する。この静電レンズは、電子ビームを集束させるビーム集束用（フォーカス用）のメインレンズ２２として形成される。メインレンズ２２は、カソード２１から蛍光体スクリーンに向かう電子ビームの軌道上に形成される。
【００１８】
ちなみに、図１においては、第４グリッド電極Ｇ４の位置にメインレンズ２２が形成された様子を示しているが、Ｚ軸方向におけるメインレンズ２２の形成部位は、電子銃１９の形式（ユニポテンシャル形、バイポテンシャル形など）や、電子ビーム制御用のグリッド電極の構成（配置、個数など）などによって変わるため、上記第４グリッド電極Ｇ４の位置に限定されるものではない。また、メインレンズ２２は複数の静電レンズによって形成される場合もある。例えば、第３グリッド電極Ｇ３と第４グリッド電極Ｇ４との間と、第４グリッド電極Ｇ４と第５グリッド電極Ｇ５との間に、それぞれ静電レンズが形成される場合は、それら２つの静電レンズの間（ほぼ中間）に当該２つの静電レンズを合成したかたちで等価的に一つのメインレンズが形成されることになる。
【００１９】
このように電子銃１９が形成するメインレンズ２２に対して、このメインレンズ２２の形成部位よりもカソード２１寄りの位置、より具体的には第１グリッド電極Ｇ１及び第２グリッド電極Ｇ２とほぼ同じ位置に、コマ収差補正用偏向ヨーク２３が配置されている。このコマ収差補正用偏向ヨーク２３は、カソード２１から放出された電子ビームがメインレンズ２２を通過する際のコマ収差を補正するために、サブ偏向ヨーク１８が形成する補正磁界と逆向きのコマ収差補正磁界を形成するもので、サブ偏向ヨーク１８と同様にネック部に搭載されている。
【００２０】
さらに詳述すると、サブ偏向ヨーク１８は、水平方向に電子ビームを偏向する水平偏向用のサブコイル１８Ａと、垂直方向に電子ビームを偏向する垂直偏向用のサブコイル１８Ｂとを用いて構成されている。サブコイル１８Ａは、図２（Ａ）に示すように、互いに並列に接続（結線）されたコイル対からなるもので、左右一対の円弧状の磁性体コア２４，２４にそれぞれトロイダル形に巻線されている。これに対して、サブコイル１８Ｂは、図２（Ｂ）に示すように、互いに並列に接続（結線）されたコイル対からなるもので、上下一対の円弧状の磁性体コア２５，２５にそれぞれトロイダル形に巻線されている。図２（Ａ），（Ｂ）は蛍光体スクリーン側から見た場合を示している。
【００２１】
このサブ偏向ヨーク１８において、左右一対のサブコイル１８Ａ，１８Ａに補正電流Ｉ１を流すと、この補正電流Ｉ１の向き（極性）とコイル巻線方向に対応して、一対のサブコイル１８Ａ，１８Ａが例えば図２（Ａ）のように上向きの補正磁界を形成する。この場合、電子ビームＥは上向きの補正磁界によって右方向に偏向される。また、この状態から一対のサブコイル１８Ａ，１８Ａに流す補正電流Ｉ１の向き（極性）を反転させると、これにしたがって補正磁界の向きも反転するため、一対のサブコイル１８Ａ，１８Ａは下向きの補正磁界を形成する。
この場合、電子ビームＥは下向きの補正磁界によって左方向に偏向される。
【００２２】
また、上下一対のサブコイル１８Ｂ，１８Ｂに補正電流Ｉ２を流すと、この補正電流Ｉ２の向き（極性）とコイル巻線方向に対応して、一対のサブコイル１８Ａ，１８Ａが例えば図２（Ｂ）のように左向きの補正磁界を形成する。この場合、電子ビームＥは左向きの補正磁界によって上方向に偏向される。また、この状態から一対のサブコイル１８Ｂ，１８Ｂに流す補正電流Ｉ２の向き（極性）を反転させると、これにしたがって補正磁界の向きも反転するため、一対のサブコイル１８Ｂ，１８Ｂは右向きの補正磁界を形成する。この場合、電子ビームＥは右向きの補正磁界によって下方向に偏向される。
【００２３】
一方、コマ収差補正用偏向ヨーク２３は、水平方向に電子ビームを偏向する水平偏向用のコマ補正コイル２３Ａと、垂直方向に電子ビームを偏向する垂直偏向用のコマ補正コイル２３Ｂとを用いて構成されている。コマ補正コイル２３Ａは、図３（Ａ）に示すように、互いに並列に接続（結線）されたコイル対からなるもので、左右一対の円弧状の磁性体コア２６，２６にそれぞれトロイダル形に巻線されている。これに対して、コマ補正コイル２３Ｂは、図３（Ｂ）に示すように、互いに並列に接続（結線）されたコイル対からなるもので、上下一対の円弧状の磁性体コア２７，２７にそれぞれトロイダル形に巻線されている。図３（Ａ），（Ｂ）は蛍光体スクリーン側から見た場合を示している。
【００２４】
このコマ収差補正用偏向ヨーク２３において、左右一対のコマ補正コイル２３Ａ，２３Ａに補正電流Ｉ３を流すと、この補正電流Ｉ３の向き（極性）とコイル巻線方向に対応して、一対のコマ補正コイル２３Ａ，２３Ａが例えば図３（Ａ）のように下向きのコマ収差補正磁界を形成する。この場合、電子ビームＥは下向きのコマ収差補正磁界によって左方向に偏向される。また、この状態から一対のコマ補正コイル２３Ａ，２３Ａに流す補正電流Ｉ３の向き（極性）を反転させると、これにしたがってコマ収差補正磁界の向きも反転するため、一対のコマ補正コイル２３Ａ，２３Ａは上向きのコマ収差補正磁界を形成する。この場合、電子ビームＥは上向きのコマ収差補正磁界によって右方向に偏向される。
【００２５】
また、上下一対のコマ補正コイル２３Ｂ，２３Ｂに補正電流Ｉ４を流すと、この補正電流Ｉ４の向き（極性）とコイル巻線方向に対応して、一対のコマ補正コイル２３Ｂ，２３Ｂが例えば図３（Ｂ）のように右向きのコマ収差補正補正磁界を形成する。この場合、電子ビームＥは右向きのコマ収差補正補正磁界によって下方向に偏向される。また、この状態から一対のコマ補正コイル２３Ｂ，２３Ｂに流す補正電流Ｉ４の向き（極性）を反転させると、これにしたがってコマ収差補正磁界の向きも反転するため、一対のコマ補正コイル２３Ｂ，２３Ｂは左向きのコマ収差補正磁界を形成する。この場合、電子ビームＥは左向きのコマ収差補正磁界によって上方向に偏向される。
【００２６】
このように構成されたサブ偏向ヨーク１８及びコマ収差補正用偏向ヨーク２３においては、サブコイル１８Ａの巻線方向とコマ補正コイル２３Ａの巻線方向が互いに逆方向となっており、サブコイル１８Ｂの巻線方向とコマ補正コイル２３Ｂの巻線方向も互いに逆方向となっている。よって、サブコイル１８Ａとコマ補正コイル２３Ａにそれぞれ同じ位相波形の補正電流Ｉ１，Ｉ３を供給すると、サブコイル１８Ａが形成する磁界に対してコマ補正コイル２３Ａは常に逆向きの磁界を形成するものとなる。同様に、サブコイル１８Ｂとコマ補正コイル２３Ｂにそれぞれ同じ位相波形の補正電流Ｉ２，Ｉ４を流すと、サブコイル１８Ｂが形成する磁界に対してコマ補正コイル２３Ｂは常に逆向きの磁界を形成するものとなる。
【００２７】
また、コマ補正コイル２３Ａが形成する磁界の強度はサブコイル１８Ａが形成する磁界よりも弱く、コマ補正コイル２３Ｂが形成する磁界の強度はサブコイル１８Ｂが形成する磁界よりも弱いものとなっている。このような条件で磁界強度を設定（調整）する理由は、Ｚ軸方向において、コマ収差補正用偏向ヨーク２３がサブ偏向ヨーク１８よりも電子銃１９の前段側（カソード側）に配置され、この前段側での電子ビームの移動速度が後段側での電子ビームの移動速度よりも遅いために、コマ収差補正用偏向ヨーク２３がサブ偏向ヨーク１８よりも高い偏向感度をもって電子ビームを偏向できるからである。ちなみに、各々のコイルが発生する磁界の強度は、コイルの線材の太さや巻線ターン数、磁性体コアの寸法などにより任意に調整可能である。
【００２８】
上記構成からなる投写用陰極線管において、サブ偏向ヨーク１８のサブコイル１８Ａ，１８Ｂにそれぞれ補正電流Ｉ１，Ｉ２（図２参照）を供給し、コマ収差補正用偏向ヨーク２３のコマ補正コイル２３Ａ，２３Ｂにそれぞれ補正電流Ｉ３，Ｉ４（図３参照）を供給すると、図４に示すように、サブ偏向ヨーク１８は補正磁界φＨ１を形成し、コマ収差補正用偏向ヨーク２３は補正磁界φＨ１と逆向きのコマ収差補正磁界φＨ２を形成する。
【００２９】
すなわち、サブコイル１８Ａが上向きの磁界を形成するときはコマ補正コイル２３Ａが下向きの磁界を形成し、サブコイル１８Ａが下向きの磁界を形成するときはコマ補正コイル２３Ｂが上向きの磁界を形成する。また、サブコイル１８Ｂが左向きの磁界を形成するときはコマ補正コイル２３Ｂが右向きの磁界を形成し、サブコイル１８Ｂが右向きの磁界を形成するときはコマ補正コイル２３Ｂが左向きの磁界を形成する。したがって、サブ偏向ヨーク１８が形成する補正磁界φＨ１とコマ収差補正用偏向ヨーク２３が形成するコマ収差補正磁界φＨ２とは、それぞれ図４に示すような分布形状となる。
【００３０】
これにより、サブ偏向ヨーク１８による電子ビームの偏向方向とコマ収差補正用偏向ヨーク２３による電子ビームの偏向方向が互いに逆方向になるため、電子銃１９のメインレンズ２２の前段側では、カソード２１から放出された電子ビームが、コマ収差補正磁界φＨ２によって一旦Ｚ軸から離れる方向に偏向された後、補正磁界φＨ１によってＺ軸に近づく方向に偏向される。そのため、メインレンズ２２の形成部位では、このメインレンズ２２の中心を通るように電子ビームの軌道を修正することができる。
【００３１】
その結果、従来のようにサブ偏向ヨーク１８の補正磁界φＨ１で電子ビームを偏向した場合は、そのビーム軌道Ｋ１がメインレンズ２２の中心からずれるためコマ収差の影響を受けることになるが、本実施形態のようにサブ偏向ヨーク１８の補正磁界φＨ１とコマ収差補正用偏向ヨーク２３のコマ収差補正磁界φＨ２で電子ビームを偏向した場合は、そのビーム軌道Ｋ２をメインレンズ２２の中心に一致させてコマ収差の影響を抑えることができる。したがって、蛍光体スクリーン上での電子ビームのスポット形状を比較した場合、ビーム軌道Ｋ１に沿って移動した電子ビームＥ１のスポットはハローをひいて歪んだ形状となるが、ビーム軌道Ｋ２に沿って移動した電子ビームＥ２のスポットは歪みのない円形状（ほぼ真円）となる。
【００３２】
よって、上記コマ収差補正用偏向ヨーク２３を備えた構成において、サブ偏向ヨーク１８の補正磁界φＨ１により投影スクリーン上での画像の歪みを補正する際に、補正磁界φＨ１で電子ビームを偏向したときに、この電子ビームがメインレンズ２２の中心を通過するように、メインレンズ２２の前段側にコマ収差補正磁界φＨ２を形成するとともに、このコマ収差補正磁界φＨ２の強度を適宜調整することにより、電子ビームのスポット形状を歪ませることなく、投影スクリーン上での画像の歪みを補正することが可能となる。
【００３３】
また、コマ収差補正用偏向ヨーク２３のコマ補正コイル２３Ａ，２３Ｂに供給する補正電流Ｉ３，Ｉ４は、サブ偏向ヨーク１８のサブコイル１８Ａ，１８Ｂに供給する補正電流Ｉ１，Ｉ２と同じ位相波形のものを流用できるため、補正電流供給用の補正回路を、サブ偏向ヨーク１８とコマ収差補正用偏向ヨーク２３で共用化することができる。これにより、現行の投写用陰極線管でスポット形状の歪みを解消するにあたっては、実質的にコマ収差補正用偏向ヨーク２３の追加だけで対処できるため、低コストで導入することができる。
【００３４】
なお、上記実施形態においては、サブコイル１８Ａの巻線方向とコマ補正コイル２３Ａの巻線方向を互いに逆方向にして、各々のコイル１８Ａ，２３Ａに同じ位相波形の補正電流Ｉ１，Ｉ３を供給することにより、サブコイル１８Ａが形成する磁界とコマ補正コイル２３Ａが形成する磁界が互いに逆向きになるようにしたが、本発明はこれに限らず、サブコイル１８Ａの巻線方向とコマ補正コイル２３Ａの巻線方向を互いに同じ方向にして、各々のコイル１８Ａ，２３Ａに互いに逆位相の波形の補正電流Ｉ１，Ｉ３を供給することにより、上記同様にサブコイル１８Ａが形成する磁界とコマ補正コイル２３Ａが形成する磁界が互いに逆向きになるようにしてもよい。また、サブコイル１８Ｂの巻線方向とコマ補正コイル２３Ｂの巻線方向を互いに同じ方向にして、各々のコイル１８Ｂ，２３Ｂに互いに逆位相の波形の補正電流Ｉ２，Ｉ４を供給することにより、サブコイル１８Ｂが形成する磁界とコマ補正コイル２３Ｂが形成する磁界が互いに逆向きになるようにしてもよい。この場合、補正電流を供給する補正回路の端子と各コイルにつながる端子の接続関係（結線）を適宜入れ換えるだけで、コイル１８Ａ，２３Ａに流れる補正電流Ｉ１，Ｉ３の位相を反転するとともに、コイル１８Ｂ，２３Ｂに流れる補正電流Ｉ２，Ｉ４の位相を反転することができるため、上記同様に補正回路の共用化を図ることができる。
【００３５】
また、サブ偏向ヨーク１８の構成としては、円形のリング状の磁性体コアを採用し、当該磁性体コアの左右にそれぞれサブコイル１８Ａをトロイダル形に巻線するとともに、当該磁性体コアの上下にそれぞれサブコイル１８Ｂをトロイダル形に巻線したものであってもよい。同様に、コマ収差補正用偏向ヨーク２３の構成としても、円形のリング状の磁性体コアを採用し、当該磁性体コアの左右にそれぞれコマ補正コイル２３Ａをトロイダル形に巻線するとともに、当該磁性体コアの上下にそれぞれコマ補正コイル２３Ｂをトロイダル形に巻線したものであってもよい。さらに、サブコイル１８Ａ，１８Ｂ及びコマ補正コイル２３Ａ，２３Ｂは、トロイダル形の巻線したものに限らず、サドル形に巻線したものであってもよい。
【００３６】
【発明の効果】
以上説明したように本発明によれば、メインレンズの前段側でコマ収差補正用偏向ヨークによりコマ収差補正磁界を形成することにより、メインレンズの中心を通るように電子ビームの軌道を修正してコア収差の影響を抑えることができるため、電子ビームのスポット形状を歪ませることなく、投写スクリーン上での画像の歪みを適切に補正することができる。その結果、投影スクリーン上に映し出される表示画像の品質を向上させることが可能となる。
【図面の簡単な説明】
【図１】本発明の実施形態に係る投写用陰極線管の構成を示す側断面図である。
【図２】サブ偏向ヨークの構成を説明する図である。
【図３】コマ収差補正用偏向ヨークの構成を説明する図である。
【図４】本発明の実施形態に係る投写用陰極線管の動作状態を示す図である。
【図５】投写型表示装置の構成例を示す図である。
【図６】投写用陰極線管の構成例を示す断面図である。
【図７】投影スクリーン上での画像の歪み形状を示す図である。
【符号の説明】
１…投写型表示装置、１０…投写用陰極線管、１７…メイン偏向ヨーク、１８…サブ偏向ヨーク、１８Ａ，１８Ｂ…サブコイル、１９…電子銃、２１…カソード、２２…メインレンズ、２３…コマ収差補正用偏向ヨーク、２３Ａ，２３Ｂ…コマ補正コイル
【図１】
2004079404.tif 000003
【図２】
2004079404.tif 000004
【図３】
2004079404.tif 000005
【図４】
2004079404.tif 000006
【図５】
2004079404.tif 000007
【図６】
2004079404.tif 000008
【図７】
2004079404.tif 000009